(57)【特許請求の範囲】
【請求項１】
ファスナー装置であって、  第１のファスナー軌道にスライド自在に結合されたスライダー本体部と、  前記第１のファスナー軌道に取着された第１の下部本体部であって、    第１の磁石を含む第１のハウジング要素と、    前記スライダー本体部と可逆的に相互作用する第１の延長要素と    を有し、      前記第１の磁石の吸引力を有する表面は前記第１のファスナー軌道の上面に対して実質的に垂直であり、かつ、当該第１の磁石の吸引力を有する表面の法線は、スライダー本体部の進行方向と実質的に直交するものである、前記第１の下部本体部と、  第２のファスナー軌道に取着された第２の下部本体部であって、    第２の磁石を含む第２のハウジング要素と、    第２の延長要素と    を有し、      前記第２の磁石の吸引力を有する表面は前記第２のファスナー軌道の上面に対して実質的に垂直であり、かつ、当該第２の磁石の吸引力を有する表面の法線は、スライダー本体部の進行方向と実質的に直交するものである、前記第２の下部本体部と  を有し、  前記第１および第２の下部本体部は前記第１および第２の磁石の着脱自在な相互作用を介して単一要素を可逆的に形成するものである  を有するファスナー装置。
【請求項２】
請求項１記載のファスナー装置において、前記第１または第２の磁石は強磁性材料であるファスナー装置。
【請求項３】
請求項１記載のファスナー装置において、前記第１または第２の下部本体部は、さらに、突出案内要素を有するものであるファスナー装置。
【請求項４】
請求項３記載のファスナー装置において、前記突出案内要素は、前記第１または第２の下部本体の少なくとも一部を可逆的に受け入れる空洞を有するものであるファスナー装置。
【請求項５】
請求項４記載のファスナー装置において、前記空洞は、基部から遠端部に向かって徐々に狭くなる壁によって少なくとも部分的に形成されているものであるファスナー装置。
【請求項６】
請求項４記載のファスナー装置において、前記空洞は開口部を有する壁によって少なくとも部分的に形成され、この壁はさらに開口部を有し、これにより当該壁は当該空洞を完全に包囲しないものであるファスナー装置。
【請求項７】
請求項６記載のファスナー装置において、前記空洞はさらに、前記開口部の各側部に平面を有し、前記第１または第２の下部本体部の補完的な平面上に可逆的にスライドするものであるファスナー装置。
【請求項８】
請求項１記載のファスナー装置において、前記第１または第２のハウジング要素は、前記第１および第２の磁石間の物理的接触を妨ぐが、当該前記第１および第２の磁石の間の磁気相互作用を許容するものであるファスナー装置。
【請求項９】
請求項１記載のファスナー装置において、前記第１のファスナー軌道上の第１の務歯は、前記スライダー本体と係合する部分が、前記第１のファスナー軌道上の他の務歯と異なり傾斜が付けられてなる（ｔａｐｅｒｅｄ）形状、または、幅および高さが狭く形成されてなる形状（ｎａｒｒｏｗｅｄ）になっており、それにより、前記スライダー本体と当該第１の務歯との間の相互係動が容易になるものであるファスナー装置。
【請求項１０】
請求項１記載のファスナー装置において、前記第１の延長要素は、前記スライダー本体部と可逆的に相互作用するロック機構を有するものであるファスナー装置。
【請求項１１】
請求項１記載のファスナー装置において、前記第１の延長要素は、前記第２のファスナー軌道に向かって延出する突出水平要素を有するものであるファスナー装置。
【請求項１２】
請求項１１記載のファスナー装置において、前記突出水平要素の上端部は先細りしているものであるファスナー装置。
【請求項１３】
請求項１記載のファスナー装置において、前記スライダー本体部は、前記第２のファスナー軌道と相互係合する上端エッジ部より広い幅の開口部を有するように構成され、それにより、前記第１のファスナー軌道の第１の務歯と当該スライダー本体部との係動が容易になるものであるファスナー装置。
【発明の詳細な説明】
【技術分野】
【０００１】
本発明は、スライド式ファスナー装置に関し、より具体的には改善された蝶棒および箱アセンブリ、ならびに改善されたスライダー本体に関する。
【背景技術】
【０００２】
これら発明から何年もの間、ファスナーは至る所に存在するようになった。ファスナーは、あらゆるタイプの衣服例えばズボン、ドレス、およびジャケットなど、運ぶための道具（キャリア）例えばバックおよび手荷物など、ならびに用具一式例えば寝袋およびテントなんどで見ることができる。装飾として役に立つことに加えて、ファスナーは、例えばドレスの操作において衣類の２つの側を結合することができ、また例えばジャケットの着脱自在なフードの付着などの２つの布地を着脱自在に取り付ける手段として機能することができる。
【０００３】
例えばファスナーなどのファスナー装置は、分離または非分離であり、および一方向または二方向装置であり得る。分離ファスナーでは、２つのファスナー軌道（テープおよび務歯を有する）の各々は、互いに噛み合う務歯によってのみ主として結合される異なるエレメントに接続されている。非分離ファスナーでは、両方のファスナー軌道が単一エレメントに結合されており、これにより務歯を噛み合わせたり離したりして、そのエレメントを開口する。二方向ファスナーは、一緒にまたは離れて動作して務歯を噛み合わせたり離したりする２つのスライダー本体を有する。一方向ファスナーは、蝶棒および箱アセンブリと共に、前記ファスナー軌道の少なくとも１つに含まれる務歯を整列させる単一スライダー本体とを有する。
【０００４】
一方向分離ファスナーの最も単純な形状は比較的少ない部品から成っており、各務歯列の下端にある蝶棒および保持器本体とを有する起点アセンブリと、２つのテープであって片側に布地が取り付けられ、別の側には務歯を含むものである前記２つのテープと、プルタブを有するスライダー本体と、各務歯列の上端にある２つの上止とを含む。
【０００５】
２つの布地を一緒に閉じるとき、操作者は、蝶棒を１つの務歯列の下端から別の務歯列の適合する下端の保持器本体の中に差し込む。位置合わせされると、操作者はスライダー本体と呼ばれるラッチ機構を務歯軌道に沿って引く。前記スライダー本体内部の楔部は、各軌道の務歯が相互作用するようにさせる。務歯が整列される場合、各務歯のフックは対向する務歯のくぼみの中に納まる。操作者は、前記スライダーが各務歯列の上端に配置された上止で終了するまでスライダー本体を引き続けて務歯を噛み合わせる。
【０００６】
前記２つの布地を外すとき、操作者はスライダー本体を前記閉じた軌道に沿って引き戻す。スライダー本体内部の楔部は、前記互いに噛み合った務歯を離して、閉じたファスナーを分ける。
【０００７】
スライド式ファスナーを閉じる操作は簡単であるが、多数の人は前記蝶棒と本体を連結することに困難さを感じている。他には、小さなスライダー本体を掴むことまたはそれを務歯に沿って引っ張ることに困難を感じている。これらの困難にたびたび遭遇する個人は、例えば小さい子供、保護のための手袋を着用している人々、および視力低下、黄斑変性、または白内障を患っている人々が含まれる。さらに身体の不自由な方々で、例えば関節炎、多発性硬化症、脳性まひ、広汎性発達障害、ダウン症候群、運動失調症、神経障害を伴う糖尿病、脳卒中（ＣＶＡ）、対麻痺の（患者）、筋萎縮性側索硬化症、パーキンソン病、および同類のものを患っている人々もまた、ファスナーの操作に困難さを感じている可能性がある。
【０００８】
従って、本発明の主要な目的および利点は、ファスナーの蝶棒および箱のより容易な位置合わせの装置を提供することである。
【０００９】
本発明の別の目的および利点は、ファスナーのスライダー本体のより簡単な操作のための装置を提供することである。
【００１０】
本発明の更なる目的および利点は、限られた器用さの個人でも使用できる改善されたファスナーを提供することである。
本発明の他の目的および利点は、ある程度明らかで、以下である程度伝達されるあろう。
この出願の発明に関連する先行技術文献情報としては、以下のものがある（国際出願日以降国際段階で引用された文献及び他国に国内移行した際に引用された文献を含む）。
【先行技術文献】
【特許文献】
【００１１】
【特許文献１】  韓国公開実用新案第２０−２００８−０００２７２７号公報
【特許文献２】  特開２００５−２４６００６号公報
【特許文献３】  特開２００４−２４８８０９号公報
【特許文献４】  特開２００７−２２９４１１号公報
【特許文献５】  米国特許第３５８３０４１号明細書
【特許文献６】  米国特許第４２３２４３０号明細書
【特許文献７】  米国特許第５７９１０２３号明細書
【特許文献８】  米国特許第６０２６５４７号明細書
【特許文献９】  米国特許第６０８８８８８号明細書
【特許文献１０】  米国特許第６８２６８１０号明細書
【特許文献１１】  米国特許第７０３６１９２号明細書
【発明の概要】
【課題を解決するための手段】
【発明の概要】
【課題を解決するための手段】
【００１２】
前述の目的および利点に従って、本発明はファスナー装置を提供し、このファスナー装置は、（１）第１のファスナー軌道に取着され、第１の磁石と少なくとも第１の係合（または連結する）要素とを有するものである、前記蝶棒と、（２）第２のファスナー軌道に取着され、第２の磁石と、前記蝶棒の第１の連結要素を補完する少なくとも第２の係合（または連結）要素とを有する箱であって、前記蝶棒および当該箱は前記第１および第２の磁石の解放自在な相互作用を介して単一要素を形成し、前記蝶棒の第１の連結要素は当該箱の第２の連結要素と可逆的に相互作用するものである、前記箱と、（３）前記蝶棒の第１の連結要素を前記箱の前記第２の連結要素から可逆的に係脱させる少なくとも１つの解放要素を有する第１のスライダー本体とを有する。前記係合要素または連結要素は好ましくは互いに組み合う形態で合致するが、実際に互いに組み合う関係を必要としない他の従来の形態で互いに係合することも可能である。
【００１３】
本発明はさらにファスナー装置を提供し、このファスナー装置は、（１）第１のファスナー軌道に取着され、第１の磁石と、少なくとも第１の連結要素とを有する蝶棒と、（２）第２のファスナー軌道に取着され、第２の磁石と、前記蝶棒の第１の連結要素を補完する少なくとも第２の連結要素とを有する箱であって、前記蝶棒および当該箱は前記第１および第２の磁石の解放自在な相互作用を介して単一要素を形成し、前記蝶棒の第１の連結要素は前記箱の第２の連結要素と可逆的に相互作用するものである、前記箱と、（３）前記蝶棒の第１の連結要素を当該箱の前記第２の連結要素から可逆的に係脱させる少なくとも１つの解放要素を有する第１のスライダー本体部であって、さらに、第３の磁石を有し、且つ少なくとも１つの隆起要素が形成されているものである、前記第１のスライダー本体と、（４）第４の磁石を有し、且つ少なくとも１つの溝要素が形成されている第２のスライダー本体構成要素であって、前記第１および第２のスライダー本体構成要素は前記第１および第２の磁石の解放自在な相互作用を介して単一スライダー本体を形成し、前記第１のスライダー本体構成要素の隆起要素は前記第２のスライダー本体構成要素の溝要素に着脱自在に装入されるものである、前記第２のスライダー本体構成要素とを有する。
【００１４】
本発明はさらにファスナー装置を提供し、このファスナー装置は、（１）第１のファスナー軌道にスライド自在に結合されたスライダー本体と、（２）前記第１のファスナー軌道に取着された第１のロッキング本体部であって、第１の磁石を含む第１のハウジング要素を有し、さらに、前記スライダー本体部と可逆的に相互作用する第１の垂直要素を有するものである、前記第１のロッキング本体部と、（３）第２のファスナー軌道に取着された第２のロッキング本体であって、第２の磁石を含む第２のハウジング要素を有し、さらに、第２の垂直要素を有するものであり、前記第１および第２のロッキング本体部は、前記第１および第２の磁石の解放自在な相互作用を介して単一要素を可逆的に形成するものである、前記第２のロッキング本体部とを有する。
【図面の簡単な説明】
【００１５】
本発明は、添付の図面とともに以下の発明の詳細を読むことによってさらに十分に理解される。
【図１】図１は、本発明の実施形態に従った、アセンブリされていない状態のアセンブリの右側部分および左側部分を有し、箱部分の内部を示す一方向分離ファスナーアセンブリの側立面図である。
【図２】図２は、本発明の実施形態に従った、アセンブリされていない状態のアセンブリの右側部分および左側部分を有し、蝶棒部分の内部を示す一方向分離ファスナーアセンブリの側立面図である。
【図３】図３は、アセンブリされていない状態の右側部分および左側部分のファスナーアセンブリを有する本発明の正面図である。
【図４】図４は、組み立てられた蝶棒および箱と、組み立てられていないスライダー本体とを有する本発明の側立面図である。
【図５】図５は、組み立てられた蝶棒および箱から引き離れた、組み立てられたスライダー本体を有する本発明の側立面図である。
【図６】図６は、アセンブリされていない状態のアセンブリの右側部分および左側部分を有する本発明の第２の実施形態の正面図である。
【図７】図７は、アセンブリされていない状態のアセンブリの右側部分および左側部分を有する本発明の第２の実施形態の正面図である。
【図８】図８は、組み立てられた構成のアセンブリの右側部分および左側部分を有する第２の実施形態の正面図である。
【図９】図９は、スライダー本体が蝶棒および箱アセンブリから引き離れた、組み立てられた構成の蝶棒および箱アセンブリの右側部分および左側部分を有する第２の実施形態の正面図である。
【発明を実施するための形態】
【００１６】
ここで、図面（同様の参照番号が幾つかの図面にわたって同一のまたは対応する部品に指定されている）を参照すると、図１〜３において、アセンブリされる前のファスナー装置の立面図が示されている。前記ファスナー装置は４つの独立した連動構成要素を含み、すなわち箱１２と、蝶棒１４と、スライダー本体の一方の半分部分である第１のスライダー本体構成要素１６と、前記スライダー本体のもう一方の半分部分である第２のスライダー本体構成要素１８とを含む。
【００１７】
箱１２は、第１のファスナー軌道の下端に固着される。箱１２には、アセンブリの際、蝶棒１４を着脱自在に取付けるための空洞２０がある。空胴２０の内部には磁石２４の周囲に延在するスリーブ２２があり、前記ファスナー軌道（図示せず）の位置合わせを容易にするのと同時に前記箱および蝶棒のアセンブリを促進する。前記箱の上唇部２６と下唇部２８中にそれぞれ穴部３０および３２が形成され、これら穴部はアセンブリの際、蝶棒１４のペグ３４および３６を受け入れる。
【００１８】
第１のスライダー本体構成要素１６は、箱１２に着脱自在に取着されており、且つ前記第１のファスナー軌道に永久的に取り付けられている。ただし、当該軌道の全長に沿って移動自在である。スライダー本体構成要素１６は３つの永久的に結合された部分、すなわち、主本体部３８と、上腕部４０と、下腕部４２とから構成されている。前記第１のスライダー本体構成要素の主本体部には前記スライダー本体の全長に沿って空洞４４が形成されており、前記スライダー本体がアセンブリされて務歯とアクティブに噛合および噛合解除されるときこの空洞を介して前記第１のファスナー軌道が移動する。上腕部４０および下腕部４２は、主本体部３８の上面４１および下面４３から外側に前記第１のファスナー軌道と反対方向に延出している。上面４１から突出し、上腕部４０で終端する隆起部４５と、下面４３から突出し、下腕部４２で終端する隆起部４７とがある。第２のスライダー本体構成要素１８とのアセンブリを促進するため、上腕部４０は埋め込まれ且つ一部露出している磁石４６を含み、この磁石が前記第２のスライダー本体の上腕部５０に同様に埋め込まれ且つ一部露出している磁石４８を引きつける。前記第１のスライダー本体の下腕部４２は同様の磁石５２を含み、これは前記第２のスライダー本体の下腕部５６内の磁石５４を引きつけ、ファスナーが開いた状態に前記スライダー本体がスライドしている間当該スライダー本体を１つにして保持する。
【００１９】
蝶棒１４は第２のファスナー軌道の下端に固着されており、且つ第２のスライダー本体構成要素１８に着脱自在に取り付けられている。非可撓性壁部５８は、前記蝶棒の主本体部５８から外側へ延出する。壁部５８の上部および下部にはそれぞれ可撓的に取着された上腕部６０および下腕部６２がある。腕部６０および６２は、お互いから離れる方向に付勢されている。上腕部６０の外面にはペグ３４が取着されており、前記ファスナー構成要素がアセンブリされたとき、前記箱の上唇部２６に形成された穴部３０の中に装入される。同様に、下腕部６２の外面は、前記箱の下唇部２８に形成された穴部３２に装入されるペグ３６を含む。腕部６０および６２には、前記蝶棒の主本体部に埋め込まれ且つ一部露出している磁石６６を含む空洞６４が形成されている。
【００２０】
第２のスライダー本体構成要素１８は、着脱自在に蝶棒１４に取着されており、且つ前記第２のファスナー軌道に永久的に取り付けられている。ただし、当該軌道の全長に沿って移動自在である。スライダー本体構成要素１８は４つの固着された部分から構成されており、すなわち主本体部６８と、上腕部５０と、下腕部５６と、プルタブ５７とから構成されている。前記第２のスライダー本体構成要素の主本体部には前記スライダー本体の全長に沿って空洞７０が形成されており、前記スライダー本体がアセンブリされて務歯とアクティブに噛合および噛合解除されるときにこの空洞を介して前記第１のファスナー軌道が移動する。上腕部５０および下腕部５６は、主本体部６８の上面７２および下面７４から側面方向に、且つ前記第２のファスナー軌道を挟んで反対方向に突出している。上腕部５０の下面７６には、その表面７６の全長にわたる溝部７８が形成されている。同様に、下腕部５６の上面８０にはその表面８０の全長にわたる溝部８２が形成され、これにより溝部７８および溝部８２は、前記ファスナーがアセンブリされていない状態のとき相互に向き合う。前記第１のスライダー本体構成要素１６とのアセンブリを促進するため、上腕部５０は埋め込まれ且つ一部露出している磁石４８を含み、この磁石が前記第１のスライダー本体の上腕部４０の磁石４６を引きつける。前記第２のスライダー本体の下腕部５６は、前記第１のスライダー本体の下腕部４２の磁石を引きつける同様の磁石５４を含む。
【００２１】
蝶棒１４および第２のスライダー本体構成要素１８がアセンブリされるとき、前記スライダー本体構成要素の上腕部５０および下腕部５６は、前記蝶棒の腕部６０および６２をそれらの付勢に逆らって相互に接近する方向に押動する。これにより、前記蝶棒の腕部６０および６２は空洞２０に容易に装入され、且つ前記蝶棒および前記箱が早期にロックされるのを防ぐ。
【００２２】
図４は、前記アセンブリされた蝶棒および箱と前記アセンブリされていないスライダー本体とを有する本発明の側立面図である。前記蝶棒および箱がアセンブリされると、箱１２のスリーブ２２は蝶棒１４の空洞１４にぴったりと装入される。前記箱の磁石２４と前記蝶棒の磁石６６との間の引力により、２つの構成要素が整列され密着することが助長される。選択的に、磁石２４または磁石６６のいずれかの１つを強磁性材料と置き換えることができ、これにより前記２つの構成要素はさらなる引力を形成するようになる。前記強磁性材料は、磁力に強力な相互作用を示すあらゆる材料または部材である。例えば、この材料は天然元素若しくは鉱物、希土類金属、または合金である。
【００２３】
一旦箱１２および蝶棒１４が着脱自在に取着されると、前記第２の本体構成要素の上腕部５０に形成された溝部７８は前記第１の本体構成要素の隆起部４５に沿って自由にスライドすることができる。同様に、前記第２の本体構成要素の下腕部５６に形成された溝部８２は隆起部４７に沿って自由にスライドできる。第２のスライダー本体構成要素１８が前記隆起部に沿って前記第１のスライダー本体構成要素の上腕部４０および下腕部４２に向かってスライドする際、スライダー本体構成要素１８の磁石４８および５４は、スライダー本体構成要素１６の磁石４６および５２を引きつける。
【００２４】
さらに、前記第２のスライダー本体構成要素が前記第１のスライダー本体構成要素とともに蝶棒１４から離れるようにスライドすると、箱１２の空洞２０内に現在位置している前記蝶棒の可撓性の腕部６０および６２は付勢された状態に戻る。前記箱の穴部３０および３２が図５に示すように前記蝶棒の腕部にあるペグ３４および３６を受け入れることによって、蝶棒１４および箱１２が着脱自在に連結される。前記スライダーアセンブリが前記箱および蝶棒アセンブリのある位置に戻ると、腕部６０および６２には再びそれらの付勢に対抗する力が加えられる。この状態になると、前記ペグは加えられた力によって前記穴部から外れて前記腕部は空洞２０からスライド自在になる。
【００２５】
上述した弾性連結要素に加えて、蝶棒１４および箱１２は、蝶棒１４および箱１２を可逆的に相互作用するのを可能にするあらゆる機構を有するように設計することもできる。例えば、前記可逆的な相互作用は、前記箱の磁石２４および前記蝶棒の磁石６６のみを使用して任意の追加のロッキング要素なしで達成することができる。
【００２６】
前記箱の磁石２４と前記蝶棒の磁石６６との間の引力により、前記２つの構成要素が整列され密着することが助長される
【００２７】
前記スライダー本体が完全にアセンブリされると、図５に示すように、前記第１のスライダー本体構成要素の腕部は、前記第２のスライダー本体構成要素の腕部と同一平面となる。前記アセンブリスライダー本体（概略的に８４として言及する）は、前記ファスナー軌道の全長にわたって移動自在である。前記第１および第２のロックされていないファスナー軌道が前記スライダー本体を通って移動するとこれらに強制的ば相互作用が起こり、前記スライダー本体から外側に移動するとき単一連結要素となる。
【００２８】
前記務歯のロックを外す場合、前記アセンブリスライダー本体は前記軌道に沿って引き戻されて、前記連結務歯が再度前記スライダー本体に入る。前記スライダー本体内の楔部は、前記連結務歯を強制的に離して前記軌道を相互に分離する。
【００２９】
図６は、本発明の第２の実施形態の正面図である。前記ファスナー装置は３つに分かれた連結構成要素を有し、すなわちスライダー本体１０２、第１の下部本体１０４、および第２の下部本体１０６を有する。この実施形態において、下部本体１０４および１０６は、前記従来の蝶棒および箱アセンブリと置き換えることができる。第１の下部本体１０４は、前記第１のファスナー軌道１０８の下端に固着されている。好ましい実施形態において、第１の下部本体１０４は丸みを帯び、且つ埋め込まれ一部露出する磁石８３（図７に示す）を含み、この磁石は第２の下部本体１０６に同様に埋め込まれ一部露出する磁石１１２を引きつける。
【００３０】
スライダー本体１０２は、着脱自在に第１の下部本体１０４に取着されており、且つ第１のファスナー軌道１０８に永久的に取り付けられている、ただし、前記軌道の全長にそって移動自在である。スライダー本体１０２は、選択的に、ループ状のものまたは前記スライダー本体を前記ファスナー軌道に上下に引っ張るのに使用される同様の構成要素を留めるまたはつなぐための構造８４を有する。スライダー本体１０２の主本体部には、当該スライダー本体の両側の全長に沿って空洞８６（図７に示す）が形成されており、前記スライダー本体が前記務歯とアクティブに噛合および噛合解除されるときにこの空洞を介して第１のファスナー軌道１０８および第２のファスナー軌道１１０が移動する。
【００３１】
第２の下部本体１０６は、第２のファスナー軌道１１０の下端に永久的に取り付けられている。好ましい実施形態において、第２の下部本体１０６は、下部本体１０４の磁石８３を引きつける磁石１１２を含む。選択的に、磁石１１２または下部本体１０６の前記磁石のいずれか１つが強磁性材料と置き換えることができ、これにより前記２つの構成要素はさらなる引力を形成するようになる。下部本体１０６はまた、ファスナー軌道１１０の両側に延長部９０を有する。アセンブリの間、延長部９０がファスナー軌道１１０の適切な配列にスライダー本体１０２を導くことにより、前記ファスナー軌道は前記スライダー本体の空洞８６に入る。
【００３２】
１つの実施形態において、下部本体１０６は、延長案内要素９２を有する。前記案内要素は、下部本体１０６と一列に並ぶように下部本体１０４を促しかつ導くことにより、スライダー本体１０２を適切な配向になるようにする。前記案内要素は、図８に示すように下部本体１０４の上部部分を受け入れる開口部で下部本体１０４を覆って適合するように設計することができる。この開口部は、下部本体１０４の補完的な、平面を受け入れる面に沿てぴったりと合う平面端部を両側に有する。図６は、下部１０４の裏側の補完的な、平面を受け入れる面（図示せず）を超えてスライドする、案内要素９２の開口部の１つの平面端部９４を示す。また、図６は、案内要素９２の開口部の向かい側の平面端部（図示せず）を受け入れる補完的な平面９６を示す。これら面部の対合は、前記機構の２つの下部本体が一緒になる際に適切に配列されるように当該２つの下部本体を回転させ、これによりスライダー本体１０２の前記ファスナー軌道との適切な配列を促進する。
【００３３】
案内要素９２は、さらに前記２つの下部本体の整列を促進し、そして結果として前記スライダー本体の整列も促進するように円錐形状にすることができる。例えば、前記案内要素の壁は底部で比較的厚く、最上部で比較的薄くすることができ、前記反対側の下部本体が前記案内要素に挿入される際に前記壁の狭窄は前記下部本体を適切に配列させる。
【００３４】
前記案内要素はまた、図６に示すように前記要素の領域の前記ファスナー軌道の反対側に開口部を形成することもできる。これにより使用者は、従来の蝶棒および箱ファスナーアセンブリのように下から下部本体１０４を引いて案内要素９２の中に入れることができる。
【００３５】
好ましい実施形態において、下部本体１０４の磁石８３と下部本体１０６磁石１１２は、強い磁石相互作用を形成するがお互いに物理的に接触しない近さに近づけられる。これは磁気相互作用を最大限に発揮させるが、使用者は前記下部本体を簡単に引き離すことができる。
【００３６】
図７は、本発明の、非アセンブリ構造の前記アセンブリの右部分と左部分とを有する第２の実施形態の正面図である。この図面では、下部本体１０４の磁石８３が見えており、スライダー本体の１０２の空洞８６も見えている。
【００３７】
図８は、本発明の、アセンブリ構造の第２の実施形態の正面図である。第１の下部本体１０４および第２の下部本体１０６が近接近すると、当該本体に含まれる前記磁石はお互いに引きつけ合って、アセンブリ構造に引き入れられる。前記アセンブリ構造において、第２の下部本体１０６の延長部９０は、ファスナー軌道１１０の適切な方向にスライダー本体１０２を導く。結果として、軌道１０８および１１００の前記務歯は近接近に近づけられ、スライダー本体１０２は前記ファスナー軌道の全長をにわたって自由に移動する。前記第１および第２のロックされていないファスナー軌道が前記スライダー本体を通って移動する際、これらは強制的に相互作用されて前記スライダー本体から単一連結要素として出る。前記務歯のロックを外すとき、スライダー本体１０２は前記軌道に沿って引き戻されて、前記連結務歯が再び前記スライダー本体に入る。前記スライダー本体内の楔部は、前記連結務歯を強制的に離して前記軌道を相互に分離する。
【００３８】
図９は、スライダー本体１０２が引かれて前記蝶棒および箱アセンブリから離れている、前記アセンブリ構造の前記蝶棒および箱アセンブリの前記右部分および左部分を有する第２の実施形態の正面図である。下部本体１０６は、選択的に、前記下部本体からファスナー軌道１０８に沿って延出する延長部８８を具備することができる。前記延長部は、スライダー本体１０２の内部に適合するように設計することができる。延長部８８はまた、下部本体１０４とファスナー軌道１０８の第１の務歯との間に剛性および／または整列を保持するように設計することができる。この剛性および整列は、前記スライダー本体が適切に機能するのを補助する。延長部８８はスライダー本体１０２のエレメント（図示せず）と可逆的に係合するエレメント９８を具備し、前記スライダー本体が引かれるまで当該スライダーを定位置に保持することができる。スライダー本体１０２を下部本体１０４および１０６の結合によって形成される基底構造と容易に係合できるようにするため、延長部８８は引込みエレメント１００を具備するように設計できる。引込みエレメント１００は延長部８８から水平に延出して、前記ファスナー機構の反対側と可逆的に相互作用することができる。好ましい実施形態において、引込みエレメント１００の上端部は、スライダー本体１０２を前記基底構造上に案内するように先細りしている。
【００３９】
スライダー本体１０２が適切に動作するのを助ける別の機構は、ファスナー軌道１０８上の第１の務歯として、傾斜が付けられた（ｔａｐｅｒｅｄ）、または幅および高さが狭く形成された（ｎａｒｒｏｗｅｄ）ものを使用することである。前記傾斜が付けられた（ｔａｐｅｒｅｄ）形状により、前記スライダーの前記務歯に対する係合がより容易になる。また、スライダー本体１０２は、前記第１の務歯が前記スライダーと係合するのを容易にする引込みエレメント（図示せず）を具備するように修正することも可能であり、或いは前記反対側のファスナー軌道と相互係動する前記上端エッジ部に、より広い幅の開口部を有するように修正することも可能である。
【００４０】
本発明の更に別の実施形態において、前記２つの下部本体は、隣り合わせになるのではなく１つのものが他のものの上部に組み合わされて前記ファスナー軌道を整列させる。この構成において、前記最上部の下部本体は、前記最下部の下部本体の磁石または補完的な要素と相互作用するように配置された磁石または他の要素を含む。ひとたび前記下部本体が適切に一直線に並べられると、前記スライダー本体も適切に一直線に並べられ、当該スライダー本体が前記ファスナー軌道を噛み合わせるのに使用できる。
【００４１】
本発明を好ましい実施形態と関連させて説明してきたが、特許請求の範囲で定義されている本発明の範囲を逸脱しない範囲で本発明に修正、変更、および追加を加えることができることは理解されるべきである。
【図１】
0005319841.tif 000002
【図２】
0005319841.tif 000003
【図３】
0005319841.tif 000004
【図４】
0005319841.tif 000005
【図５】
0005319841.tif 000006
【図６】
0005319841.tif 000007
【図７】
0005319841.tif 000008
【図８】
0005319841.tif 000009
【図９】
0005319841.tif 000010